(57)【要約】  本発明は、少なくとも１つのベースと少なくとも１つの蓋とを有する少なくとも１つの容器；および、ベースと蓋を接続する少なくとも１つのヒンジを備える、表面に置き、物質、好ましくは歯科物質を貯蔵および／または運搬するためのパッケージアセンブリに関し、ベースと蓋が少なくとも第１および第２のレバーを備え；第１および第２のレバーが容器の本質的にはヒンジ側に設けられ、および；第１のレバーの表面上の突起および第２のレバーは、それらの自由端が本質的にヒンジから離れる方向に延び；および、第１および第２のレバーの端部を互いの方に動かすことによって、容器を開けることができる、または蓋をベースから取り外すことができる。本発明は、更に、歯科物質を提供する方法、アセンブリを有するキット、並びに、アセンブリの使用、および、歯科物質を貯蔵および／または運搬する方法に関する。
2007529368.tif 000002
【特許請求の範囲】
【請求項１】
ａ）少なくとも１つのベース（１）と少なくとも１つの蓋（３）とを有する少なくとも１つの容器手段（２）、および
ｂ）前記ベース（１）と前記蓋（３）を接続する少なくとも１つのヒンジ手段（４）、
を備える、表面に置き、物質、好ましくは歯科物質を貯蔵および／または運搬するためのパッケージアセンブリであって、
ｃ）前記ベース（１）と前記蓋（３）が少なくとも第１および第２のレバー手段（１２、３２）を備え、
ｆ）前記第１および第２のレバー手段（１２、３２）が、前記容器（２）の本質的にはヒンジ手段（４）側に設けられ、および、
ｇ）前記第１のレバー手段（１２）の前記表面上の突起および第２のレバー手段（３２）は、それらの自由端が本質的に前記ヒンジ手段（４）から離れる方向に延び、
ｆ）前記第１および第２のレバー手段（１２；３２）の端部を互いの方に動かすことによって、前記容器手段（２）を開けることができる、または前記蓋（３）を前記ベース（１）から取り外すことができる、
パッケージアセンブリ。
【請求項２】
前記第１および第２のレバー手段（１２、３２）間に前記ヒンジ手段（４）が設けられる、請求項１に記載のパッケージアセンブリ。
【請求項３】
前記容器手段（２）が、前記ベース（１）に隣接する第１の端部（２１）と、容器手段（２）を第２の端部（２２）で気密に閉じるように構成されている前記蓋（３）に隣接する第２の端部（２２）とを備える、請求項1または２に記載のパッケージアセンブリ。
【請求項４】
前記第２のレバー手段（３２）の端部が、前記第１のレバー手段（１２）から離れる方向に屈曲している、請求項1、２または３に記載のパッケージアセンブリ。
【請求項５】
前記容器手段（２）に少なくとも１種類の歯科物質が予め充填されている、請求項1、２、３または４に記載のパッケージアセンブリ。
【請求項６】
前記アセンブリが、使い捨て用である、請求項１〜５のいずれか１項に記載のパッケージアセンブリ。
【請求項７】
前記ベース（１）および／または前記蓋（３）の材料が、プラスチック材料を含む、請求項１〜６のいずれか１項に記載のパッケージアセンブリ。
【請求項８】
前記ベース手段（１）および前記蓋手段（３）が、成形、好ましくは射出成形されている、請求項１〜７のいずれか１項に記載のパッケージアセンブリ。
【請求項９】
前記ベース手段（１）および前記蓋手段（３）が、フィルムおよび／または箔を深絞りすることによって製造されている、請求項１〜８のいずれか１項に記載のパッケージアセンブリ。
【請求項１０】
前記ベース（１）、前記蓋（３）、および前記ヒンジ（４）が、一体成形されている、請求項１〜９のいずれか１項に記載のパッケージアセンブリ。
【請求項１１】
前記ベース（１）、前記蓋（３）が、後で前記蓋（３）を前記ベース（１）から分離するための弱め線（５）で１個のものとして成形されている、請求項１〜１０のいずれか１項に記載のパッケージアセンブリ。
【請求項１２】
前記ヒンジ（４）が、一体ヒンジまたはフィルムヒンジである、請求項１〜１１のいずれか１項に記載のパッケージアセンブリ。
【請求項１３】
前記ベース手段（１）および／または前記蓋手段（３）が、前記容器手段（２）をその製造後に充填するための、および、密封手段（６）で密封するための開口部を有するように製造されている、請求項１〜１２のいずれか１項に記載のパッケージアセンブリ。
【請求項１４】
前記パッケージアセンブリが、ワンショット法で成形されている、請求項１〜１３のいずれか１項に記載のパッケージアセンブリ。
【請求項１５】
前記容器手段（２）は前記第１の端部（２１）で、密封手段（６）によって密封されている、請求項１〜１４のいずれか１項に記載のパッケージアセンブリ。
【請求項１６】
前記密封手段（６）が、箔および／またはプラグおよび／または前記ベース手段（１）の一部である、請求項１５に記載のパッケージアセンブリ。
【請求項１７】
前記密封手段（６）が、箔および／またはプラグおよび／または前記蓋の一部である、請求項１５に記載のパッケージアセンブリ。
【請求項１８】
前記容器手段（２）が、初期状態で、少なくとも１種類の歯科物質を備え、前記容器手段（２）が前記第１の端部（２１）を前記蓋（３）で閉じられており、前記蓋（３）と前記第２の端部（２２）との間の境界が、破断可能なシール（５）で密封されている、請求項１〜１７のいずれか１項に記載のパッケージアセンブリ。
【請求項１９】
前記ベース（１）が、蓋（３）に面する前面（１３）と前記蓋の方を向いていない背面（１１）とを備え、ここで、前記背面（１１）は、前記パッケージアセンブリの設置面となるように構成されている、請求項１〜１８のいずれか１項に記載のパッケージアセンブリ。
【請求項２０】
前記背面（１１）は、前記パッケージアセンブリが表面に立つことを助けるために滑り止め層および／または粘着層を備える、請求項１９に記載のパッケージアセンブリ。
【請求項２１】
前記アセンブリは、使用者がパッケージアセンブリをリングのように１本以上の指に装着できるように、リング部材を更に備える、請求項１９に記載のパッケージアセンブリ。
【請求項２２】
少なくとも前記背面（１１）が、軟質の弾性材料で製造されている、請求項１９または２０に記載のパッケージアセンブリ。
【請求項２３】
前記前面（１３）と前記背面（１１）からなる前記ベース（１）が、ツーショット射出成形で製造されている、請求項１６に記載のパッケージアセンブリ。
【請求項２４】
前記ベース（１）が、安全に立つように、吸引手段、マイクロ複製された表面、グルーまたは感圧接着剤表面、磁石表面の群のうち少なくとも１つの手段を備え、前記箔シール（６）が粘着性、マイクロ複製、および／または弾性の表面を備える、請求項１９、２０、２２または２３のいずれか１項に記載のパッケージアセンブリ。
【請求項２５】
前記第１および／または第２のレバー手段（１２；３２）が、前記第２のレバー手段（３２）を前記第１のレバー手段（１２）に取り付けるため、および、開けた後、前記蓋手段（３）が開いた状態になることを確実にするために、固定手段（７）を備える、請求項１〜２４のいずれか１項に記載のパッケージアセンブリ。
【請求項２６】
前記固定手段（７）は、凹部（１５）およびクリップデバイス（３５）を、好ましくは前記クリッパーが前記凹部（１５）と解除可能に係合するように備える、請求項２５に記載のパッケージアセンブリ。
【請求項２７】
前記固定手段（７）は、１つのレバー手段にフォークを、もう１つの第２のレバー手段にスナッパー（３５）を、好ましくは前記スナッパー（３５）が前記フォークと解除可能に係合するように備える、請求項２５に記載のパッケージアセンブリ。
【請求項２８】
前記固定手段（７）が、前記第１および／または第２のレバー手段（１２、３２）に係合手段を、前記レバー手段（１２；３２）の一方の縁部と係合するように備える、請求項２５に記載のパッケージアセンブリ。
【請求項２９】
前記固定手段（７）が、前記第１および第２のレバー手段（１２、３２）を一緒に取り付けるための粘着性グルーまたは感圧接着剤を備える、請求項２５に記載のパッケージアセンブリ。
【請求項３０】
前記パッケージが、使い捨てアプリケータ（５０）を備える、請求項１〜２９のいずれか１項に記載のパッケージアセンブリ。
【請求項３１】
前記アプリケータ（５０）が、クランプ（５１）で前記パッケージアセンブリに取り付けられている、請求項３０に記載のパッケージアセンブリ。
【請求項３２】
前記パッケージが、２成分または多成分の物質用に設計されている、請求項１〜３１のいずれか１項に記載のパッケージアセンブリ。
【請求項３３】
前記容器手段（２）が、少なくとも２つの容器（２０１；２０２）を備える、請求項１〜３２のいずれか１項に記載のパッケージアセンブリ。
【請求項３４】
前記少なくとも２つの容器（２０１；２０２）が、互いに隣接して配置されている、請求項３３に記載のパッケージアセンブリ。
【請求項３５】
前記少なくとも２つの容器（２０１；２０２）に、独立した開口部が別々に設けられている、請求項３３または３４に記載のパッケージアセンブリ。
【請求項３６】
前記少なくとも２つの容器（２０１；２０２）が、１つの共通の蓋（３）を備える、請求項３３〜３５のいずれか１項に記載のパッケージアセンブリ。
【請求項３７】
前記２つの容器が並置されている場合、前記共通の蓋はＴ形であり、前記容器の逐次的始動を可能にする、請求項３３〜３５のいずれか１項に記載のパッケージアセンブリ。
【請求項３８】
ブラシに吸収させるように構成されている領域、または、ブラシで成分を混合するためのミキシングキャビティを更に備える、請求項３３〜３５のいずれか１項に記載のパッケージアセンブリ。
【請求項３９】
前記ミキシングキャビティが、前記容器手段（２）の一部であり、前記蓋（３）で再び閉じることができる、請求項３８に記載のパッケージアセンブリ。
【請求項４０】
前記蓋（３）が、物質（５２）を貯蔵するように構成されている第２の容器手段（２０）を備える、請求項１〜３９のいずれか１項に記載のパッケージアセンブリ。
【請求項４１】
前記第２の容器手段（２０）および／または前記蓋（３）が、前記物質（５２）を前記容器手段（２）の中に分配するため、前記容器手段（２）の容量を前記蓋（３）の前記第２の容器手段（２０）の容量と接続するように構成されている穴（９）を備える、請求項３９に記載のパッケージアセンブリ。
【請求項４２】
前記穴（９）が、小袋（８）のベース箔（８１）で密封されている、請求項４０に記載のパッケージアセンブリ。
【請求項４３】
始動時に、前記追加の物質（５２）を前記容器手段（２）の中に分配するため、前記小袋（８）の前記ベース箔（８１）が前記穴（９）のところで破裂する、請求項４１に記載のパッケージアセンブリ。
【請求項４４】
全ての部品が、ワンショット法で成形されている、請求項１〜４３のいずれか１項に記載のパッケージアセンブリ。
【請求項４５】
前記成形品の材料が、ポリプロピレン（ＰＰ）および／またはシクロオレフィン共重合体（ＣＰＣ）を含む、請求項１〜４４のいずれか１項に記載のパッケージアセンブリ。
【請求項４６】
前記パッケージの透明な外観のため、青色光を濾光するオレンジ色の着色剤が使用されている、請求項１〜４５のいずれか１項に記載のパッケージアセンブリ。
【請求項４７】
前記容器が、箔（１０）で密封されている、請求項１〜４６のいずれか１項に記載のパッケージアセンブリ。
【請求項４８】
前記蓋（３）および／または容器が、自己清浄または低エネルギー表面を備える、好ましくは、前記成分と接触すると考えられる全表面が自己清浄または低エネルギー表面を備える、請求項１〜４７のいずれか１項に記載のパッケージアセンブリ。
【請求項４９】
ａ）請求項１〜４８のいずれか１項に記載のパッケージアセンブリを提供する工程、
ｂ）前記２つのレバー（１２；３２）を一緒に押圧することにより、前記最初閉じているパッケージアセンブリを開ける工程、および
ｃ）前記容器から前記物質を取り出す工程、
を含む、歯科物質を提供する方法。
【請求項５０】
工程ｂ）の前に、別の工程：
ａ１）前記シール（５）を破断するため、前記容器手段（２）の方向に前記蓋（２）を押圧する工程、
を含む、請求項４９に記載の歯科物質を提供する方法。
【請求項５１】
工程ｃ）の後に、別の工程：
ｄ）前記蓋（３）を前記容器手段（２）上に押圧することによって、前記容器手段（２）を閉じる工程、
を含む、請求項４９または５０に記載の歯科物質を提供する方法。
【請求項５２】
以下の材料、即ち、歯科用プライマー；ボンディング剤；エッチングゲル／液；コンポジット、樹脂強化グラスアイオノマーセメントなどの充填材料；臨時充填材料；バーニッシュ；シアノアクリレートなどのグルー；液体、ゲル、ペーストなどの薬剤；バーニッシュ；マニキュア；タッチアップペイント；リップグロスなどの化粧品；齲食を治療または予防または識別するための物質；歯垢を予防または識別または除去するための物質；歯根管治療用物質；齲食のまたは虫歯になったまたは感染した象牙質またはエナメル質を除去するための物質、および／または、変性した象牙質を除去するための物質：の少なくとも１つを更に含む、請求項１〜５１のいずれか１項に記載のアセンブリ。
【請求項５３】
以下の部材、即ち、エキスカベータなどの歯科器具、特に、使い捨て歯科器具；ブラシ、特に、サイズおよび硬さの異なるもの；システムを再充填可能なシステムとして使用できるように使い捨てのカートリッジ；手袋の少なくとも１つ、および／または、請求項５２に記載の材料の少なくともいずれか１つ；および／または、ボンディング剤および／またはエッチング剤／ゲルを更に備える、請求項１〜５２のいずれか１項に記載のアセンブリを有するキット。
【請求項５４】
歯科物質を貯蔵および／または運搬するための、請求項１〜５３のいずれか１項に記載のパッケージアセンブリの使用、方法、および／またはキット。
【発明の詳細な説明】
【技術分野】
【０００１】
本発明は、物質、好ましくは歯科物質を貯蔵および運搬するためのパッケージアセンブリに関する。更に詳細には、本発明は、術者が「片手で」開閉できるパッケージアセンブリに関する。
【背景技術】
【０００２】
特に歯科分野では、手による多数の操作を連続的に且つ順序よく実施しなければならないことが多い。例えば、充填材で窩洞を充填するために、プライマーおよびボンディング剤は、通常、液体の形態で個々の瓶に詰められ、充填材料は、高粘度材料としてスクリューキャップチューブまたはコンピュール内に存在する。更に、２種類の物質を混合して単一の複合生成物を形成することを可能にする容器は、２種類の試薬を使用時まで別々に保存するために、歯科および医療で使用されることが多い。
【発明の開示】
【発明が解決しようとする課題】
【０００３】
多くの場合、歯科医は、歯科器具を使用し、それと同時に物質を分配するのに、および、物質が運搬されるパッケージを開けるまたは再び閉じるのに、片手しか空いていない。処置手順を容易にするため、歯科医が片手で器具を使用して物質を分配し、パッケージの取り扱い（例えば、開ける、分配する、閉じる）にもう一方の手を使用することを回避するのが非常に望ましい。
【０００４】
術者が片手で容易に開け、再び閉じることができるデバイスまたはパッケージアセンブリを提供することが望ましい。更に、複数の異なる物質または成分を別々に貯蔵することができ、容易な「片手」操作を使用してそれらをデバイス内で混合し、分配することができるデバイスを提供することが望ましい。
【０００５】
個々の成分または物質を単一のパッケージアセンブリ内に別々に、且つ、安全に、例えば、空気や光に暴露されないように、または互いに尚早に暴露されないように貯蔵することができ、その中で容易な「片手の」動作によりそれらを混合できるデバイスが特に必要とされている。
【課題を解決するための手段】
【０００６】
これは、特許請求の範囲に記載のデバイスにより、およびデバイスの使用方法により達成される。
【０００７】
本発明のパッケージアセンブリは、所望の物質、特に歯科物質が予め充填されていてもよく、使い捨てであってもよい。パッケージアセンブリ内の物質は、良好な安定性を提供するようにパッケージアセンブリに封入されていてもよい。アセンブリの好ましい実施形態は、再び閉じることができる。
【０００８】
パッケージアセンブリは、好ましくは片手だけで実施できる単純な「始動」を使用することにより、中の物質を分配する前に開けることができる。パッケージアセンブリを開けた後、物質を分配する間、それを歯科医のトレーまたは他のいずれかの場所に置いておくことができるか、または、歯科医が片手に器具を保持したまま、それと同じ手で物質を分配することができる。
【０００９】
「容器手段」の用語は、少なくとも１つのベースおよび少なくとも１つの蓋を有し、液体、ペースト、粉末、または硬質の物質を収容することができ、中にそれらの物質が保存される任意の種類の容器とすることができる。容器手段は、物質を汚染されていない状態または滅菌状態に維持するように液密および／または気密であってもよいが、それは本発明には必要ではなく、このような特徴の必要性は、意図される用途に依存する。更に、この用語は、共通のまたは分割されたハウジング内に単一の区画または複数の区画を有する容器を包含することができる。
【００１０】
以下で、「ヒンジ手段」の用語は、容器手段を開けて充填することができるように、または、その内容物を少なくとも一部排出もしくは放出することができるように、容器手段の蓋および／またはベースの動きを可能にする任意の一体または別々のデバイスまたは構成を包含する。好ましくは、ヒンジ手段は、蓋または関節構造（ａｒｔｉｃｕｌａｔｉｏｎ）がベースから離れるように回動することを可能にするデバイスまたは構成である。回り継手のような任意の継手、または、好ましくは一体ヒンジ（living hinge）もしくはフィルムヒンジ、または関節構造、または連結装置を採用することができるが、ニーレバーのような、より複雑な動きを可能にするデバイスを使用することもできる。
【００１１】
本出願で使用される「固定手段」の用語は、蓋レバーおよびベースレバーの解除可能な固定を可能にする機構を意味する。好ましくは、スナップ機構、クリップ機構、またはスナップ嵌めなどのように、１つのレバーが、もう１つのレバーの凹部と係合するための突起を備える。接着剤、感圧接着剤、またはフックアンドループファスナなどにより、２つのレバーを解除可能に係合する他の機構を設けてもよい。
【００１２】
本発明は、更に、以下の実施形態に関する：
ａ）少なくとも１つのベースと少なくとも１つの蓋とを有する少なくとも１つの容器、および
ｂ）ベースと蓋を接続する少なくとも１つのヒンジ、
を備える、物質、好ましくは歯科物質を貯蔵および／または運搬するためのパッケージアセンブリであって、
ｃ）ベースと蓋が少なくとも第１および第２のレバーを備え、
ｄ）第１および第２のレバーが容器の本質的にはヒンジ側に設けられ、および、
ｅ）第１のレバーの表面上の突起および第２のレバーは、それらの自由端が本質的にヒンジから離れる方向に延び、
ｆ）第１および第２のレバーの端部を互いに対してまたは互いの方に動かすことによって、容器を開けることができる、または蓋をベースから取り外すことができる、
パッケージアセンブリ。
【００１３】
第１のレバーと第２のレバーの間にヒンジを設けることが、更に好ましい。
【００１４】
好ましくは、容器は、ベースに隣接する第１の端部と、容器を第２の端部で気密に閉じるように構成されている蓋に隣接する第２の端部とを備える。
【００１５】
第２のレバーの端部が、第１のレバーから離れる方向に屈曲していることが更に好ましい。
【００１６】
更により好ましくは、ベースと蓋は、成形されている、好ましくは射出成形されている。
【００１７】
更により好ましくは、ベース、蓋、およびヒンジは、一体成形されている。
【００１８】
更により好ましくは、ベース、蓋は、後で蓋をベースから分離するための弱め線を有する１個のものとして成形されている。
【００１９】
更により好ましくは、ヒンジは一体ヒンジまたはフィルムヒンジである。
【００２０】
更により好ましくは、ベースおよび／または蓋は、容器をその製造後に充填するための、およびシーリングで密封するための開口部を有するように製造されている。
【００２１】
更により好ましくは、第１および／または第２のレバーは、第２のレバーを第１のレバーに取り付けるための、および、開けられた後に蓋が開いたままになることを確実にするための固定具を備える。
【００２２】
更により好ましくは、パッケージは、２成分または多成分の物質用に設計されている。
【００２３】
更により好ましくは、容器は、少なくとも２つの容器を備える。
【００２４】
更により好ましくは、少なくとも２つの容器は、互いに隣接して配置される。
【００２５】
更により好ましくは、少なくとも２つの容器は、別々に、独立した開口部を有するように設けられる。
【００２６】
更により好ましくは、少なくとも２つの容器は１つの共通の蓋を備える。
【００２７】
更により好ましくは、共通の蓋は、２つの容器が並置される場合、Ｔ形であり、容器の逐次的始動を可能にする。
【００２８】
更により好ましくは、ブラシに吸収させるように構成されている領域、またはブラシで成分を混合するためのミキシングキャビティが設けられている。
【００２９】
更により好ましくは、ミキシングキャビティは容器の一部であり、蓋で再び閉じることができる。
【００３０】
更により好ましくは、蓋は、物質を貯蔵するように構成されている第２の容器を備える。
【００３１】
更により好ましくは、第２の容器および／または蓋は、物質を容器の中に分配するため、容器の容量を、蓋の第２の容器の容量と接続するように構成されている穴を備える。
【００３２】
更により好ましくは、穴は小袋のベース箔によって密封される。
【００３３】
更により好ましくは、始動時に、小袋のベース箔は、追加の物質を容器の中に分配するための穴のところで破裂する。
【００３４】
更に、本発明は、
ａ）前述の請求項のいずれか１項に記載のパッケージアセンブリを提供する工程、
ｂ）２つのレバーを一緒に押圧することにより、最初閉じているパッケージアセンブリを開ける工程、および
ｃ）物質を容器から取り出す工程、
を含む、歯科物質を提供する方法に関する。
【００３５】
工程ｂ）の前に、別の工程：
ａ１）シールを破断するため、蓋を容器の方向に押圧する工程、
を提供することが更に好ましい。
【００３６】
更により好ましくは、工程ｃ）の後に、別の工程：
ｄ）蓋を容器上に押圧することによって容器を閉じる工程、
を提供する。
【００３７】
更により好ましくは、本発明によるアセンブリは、以下の材料、即ち、歯科用プライマー；ボンディング剤；エッチングゲル／液；コンポジット、樹脂強化グラスアイオノマーセメントなどの充填材料；臨時充填材料；バーニッシュ；シアノアクリレートなどのグルー；液体、ゲル、ペーストなどの薬剤；バーニッシュ；マニキュア；タッチアップペイント；リップグロスなどの化粧品；齲食を治療または予防または識別するための物質；歯垢を予防または識別または除去するための物質；歯根管治療用物質；齲食のまたは虫歯になったまたは感染した象牙質またはエナメル質を除去するための物質、および／または、変性した象牙質を除去するための物質：の少なくとも１つを更に含む。
【００３８】
更により好ましくは、以下の部材、即ち、エキスカベータなどの歯科器具、特に、使い捨て歯科器具；ブラシ、特に、サイズおよび硬さの異なるもの；システムを再充填可能なシステムとして使用できるように使い捨てのカートリッジ；手袋の少なくとも１つ、および／または、前述の材料の少なくともいずれか１つ；および／または、ボンディング剤／ゲル、および／またはエッチング剤／ゲルを更に備える、本発明によるアセンブリを有するキットがある。
【００３９】
容器は、ベースに隣接する第１の端部と、蓋に隣接して配置される第２の端部とを備える。好ましくは、蓋は、蓋と容器の第２の端部の境界面に気密閉鎖またはシールを提供するように構成されている。アセンブリが「片手」または「指一本」で容易に開閉するように、レバーの端部を押すことができ、レバーの端部は、好ましくはベースから離れるように屈曲していてもよい。
【００４０】
ベースおよび蓋に好ましい材料は、慣用的な成形技術を使用し、迅速、容易、且つ安価な製造を提供するプラスチックを含む。好ましい実施形態では、ベース、蓋およびヒンジは一体成形されており、これは、ワンショット（one shot）成形技術で実施することができる。このようなアセンブリでは、例えば、第１の端部または第２の端部に１つの開口部を有する容器を成形することが有利な場合がある。
【００４１】
好ましくは、パッケージアセンブリは、容器がベースに隣接する第１の端部に開口部を備えるように、成形されている。これは有利であり、容器の第２の端部と蓋を一体に成形することを可能にする。容器の第２の端部と蓋の間の境界面は、破断可能なシールを形成してもよい。別の実施形態によれば、パッケージアセンブリは、第１の端部、即ち、ベースに隣接するところが閉じている容器を有するように成形される。好ましくは、容器の第２の端部と蓋の間の一体成形された境界面は、破断可能なシールを形成する。容器を充填するための開口部を、容器の上の蓋に設けてもよい。前述の実施形態によれば第１または第２の端部に隣接している１つの開口部は、容器に物質を充填した後、密封することができる。
【００４２】
別の実施形態よれば、例えば、容器をベースと一体成形し、蓋を別々に成形するとき、容器は開口部を２つ備えても、または開口部を１つしか備えなくてもよい。開口部が２つある場合、第１の開口部は、物質が容器に充填される前に密封され、もう一方の開口部は充填後に密封される。密封システムは、好ましくは、箔、および／または、プラグ、および／または、ベースもしくは蓋の一部を含む。あるいは、充填用の開口部は、蓋またはベースに配置され、一方、蓋部位開口部を密封するために、好ましくはプラグが使用される。ベース部位の穴を密封するためには箔が好ましく、一方、箔はベースまたはその一部の底面全体を覆うことができる。
【００４３】
開ける前、容器は、好ましくは、少なくとも１種類の歯科物質を備え、容器の第２の端部が蓋で閉じられており、ここで、前記蓋と前記第２の端部の間の境界面は、破断可能なシールで密封されている。本発明の好ましい実施形態では、破断可能なシールは成形中に既に製造されている。容器と蓋を別々に成形することなど、他の好ましい実施形態によれば、容器と蓋の間の境界面に破断可能なシールを後で適用することができる。破断可能なシールは、好ましくは、気密シーリングの他に、パッケージアセンブリが損傷しておらず新しく未使用であることを確実にする、不正開封が分かる防止手段（ｔａｍｐｅｒ−ｅｖｉｄｅｎｔ  ｒｅｓｉｓｔａｎｃｅ）も提供する。これは、好ましくは、容器に封止される箔を使用することにより達成できる。箔は、スパイクまたは切刃でそれぞれ穿孔または穴開けされる。第１の実施形態（箔の穴開け）では、パッケージが開けられるときに箔が容器から除去され、パッケージの輸送中は蓋が閉じたままであることを確実にするため、箔が蓋に取り付けられている。あるいは、箔は、パッケージの始動中、容易に破裂し易くする破断線を有することができる。
【００４４】
破断可能なシールを容易に破断し易くするため、「意図的に」継ぎ目を生成することが可能である。これは、金型内に２つのゲート、蓋に配置される第１のゲートとベースに配置される第２のゲートを作り出すことによってなし得る。ゲートの位置は、成形中、両方のゲートからのプラスチック材料が、破断可能なシールのところで正確に接するように選択される。破断可能なシールの領域では、壁が非常に薄いため、継ぎ目の正確な生成は容易である。破断可能なシールを生成する第２の方法は、成形中、材料を部分的にまたは全部、「過熱」することである。後者の方法は、許容上限に近い（または、それを超える）プラスチックの溶融温度を使用することにより容易に行われ、このようにしてプラスチックはより脆くなる。壁のより厚い領域では材料の残留強度が十分になるように、脆性を制御することができる。加熱手段を金型内に破断可能なシールに隣接するように備えることにより、材料の部分的な過熱を行うことができる。
【００４５】
取り扱いを容易にするため、パッケージアセンブリのベースに接着手段を設けてパッケージアセンブリを作業面に固定することができる。例えば、ベースの底面は、パッケージアセンブリを作業面に永久にまたは一時的に固定できる滑り止め層および／または粘着層を備えることができる。例えば、接着テープ、磁石、吸盤、接着剤コーティング、再び閉じることができるファスナ、およびエラストマー材料をこの目的に使用することができる。ベースにマイクロ複製されたフィルムまたはマイクロ複製された表面を使用することもできる。軟質のエラストマー材料の層または領域を、ベースの周囲に、またはベースの底面上の層として、ツーショット射出成形プロセスで容易に設けることができる。
【００４６】
アセンブリを開けた後、蓋が開いたままになることを確実にするため、固定手段またはシステムを設けて第２のレバーをベースに取り付けてもよい。固定手段またはシステムは、例えば、１つのレバーに凹部を、もう１つのレバーに突起を、好ましくは突起が凹部と解除可能に係合するように備える。固定手段またはシステムの別の実施形態は、１つのレバーにフォーク状のウェブを、もう１つのレバーにクリップを、好ましくは相手側部品に解除可能に係合するように備える。固定手段またはシステムの別の実施形態は、第１および／または第２のレバーに係合手段を、レバーの１つの縁部と係合するように備える。更に別の実施形態は、第１および第２のレバーを一緒に取り付けるための粘着性グルーまたは感圧接着剤を備える。
【００４７】
パッケージを開けた後、物質が蓋に残存することを回避するため、容器の内側に面する蓋の部分は、低エネルギー表面またはいわゆる「ロータス効果（Ｌｏｔｕｓ−Ｅｆｆｅｃｔ）」表面を備えてもよい。好ましい実施形態では、この表面は、射出成形により微細構造化され、製造されている。あるいは、ポリテトラフルオロエチレンのようなフルオロポリマーをプラスチック材料用のフィラーとして、２成分射出成形品として、または、表面コーティングまたはこれらの組み合わせとして、使用してもよい。また、ナノクレイを使用して低エネルギー表面、向上したバリア性、および／または、破断ゾーンが破断し易くなるように増大した脆性を作り出してもよい。
【００４８】
一選択肢として、容器および蓋（物質と接触するパッケージの全部品）は、完全に空にし易くするため、前述のように低エネルギー表面を備えてもよい。
【００４９】
ブラシで歯の処置を行う場合、パッケージは、標準的な使い捨てブラシを既に備えてもよく、それは、スナップロックでパッケージアセンブリに取り付けられてもよい。幾つかの実施形態では、１つ以上の歯科用塗布用具がパッケージアセンブリと共に提供されていてもよい。用具は、綿棒、歯科用フックおよびプローブ、歯科用カーバー、ピック、スクレーパー、スパッチュラ、ティージングニードル（ｔｅａｓｉｎｇ  ｎｅｅｄｌｅ）、キューレット、モールプローブ（Ｍａｌｌ  ｐｒｏｂｅ）およびヒューバープローブ（Ｈｕｂｅｒ  ｐｒｏｂｅ）、または、物質を混合および分配するための他の任意の歯科用具の群のものであってもよい。
【００５０】
本発明の幾つかの実施形態では、容器は２つ以上の区画を備え、それらは互いに隣接して配置されるか、または、１つがもう１つの内側に配置されてもよい。区画に共通の蓋を設けてもよく、または、各区画が別々の蓋を有してもよい。あるいは、別々の区画に共通の蓋または別々の蓋を設けてもよい。共通の蓋を有する実施形態では、蓋を開けると容器の逐次的な始動が可能になるように、蓋はＴ形であり、並置された２つの区画を覆ってもよい。
【００５１】
パッケージアセンブリの別の実施形態は、物質を貯蔵するように構成されている箔小袋のような可撓性の容器を有する蓋を備え、パッケージアセンブリが閉じた位置にあるとき、蓋の上の可撓性容器はベースに取り付けられた容器に隣接しており、例えば、蓋の容器を穿孔することによってまたは押すことによって始動させることができ、小袋の箔が破裂してその内容物を隣接する容器の中に分配するようになっている。この実施形態は、小袋の箔が液体成分を収容する場合、好ましい。このような実施形態の１つでは、蓋は、可撓性容器の側壁を提供し、一方側または両側が可撓性箔で密封されている穴を備える。
【００５２】
本発明の別の実施形態では、容器は、物質用の少なくとも２つの区画を備え、ここで区画は好ましくは破断可能なシールで閉じられている。
【００５３】
好ましくは、全部品が成形され、ここで、好ましい材料はポリプロピレン（ＰＰ）および／またはシクロオレフィン共重合体（ＣＯＣ）を含む。パッケージアセンブリを成形／製造するための別の材料は、ポリブチレンテレフタレート（ＰＢＴ）、ポリフェニルスルフィド（ＰＰＳ）、液晶ポリマー（ＬＣＰ）の群（これらのブレンドおよび変性タイプを含む）のものであってもよい。ＰＥ、ＰＰ、ＡＢＳ、ＰＣ、ＰＡ、ＰＯＭ、ＰＳのような、あらゆる種類のポリマー（これらのブレンドおよび変性タイプを含む）を使用することも明白である。エポキシ成形化合物、メラミンホルムアルデヒド成形化合物、メラミンフェノール成形化合物（ベークライト社（Ｂａｋｅｌｉｔｅ  ＡＧ）製のタイプ）のような、別の熱硬化性材料を使用してもよい。少なくともパッケージの一部にガラスまたはセラミックスを使用することも考えられる。パッケージに収容されている物質を光から保護するため、とりわけ青色光から保護するため、全ての材料に顔料を充填してもよい。とりわけ、特殊な機能を有する様々な部品のために様々な材料を組み合わせることも可能であり、より信頼性の高いパッケージ機能を促進するため、特に好適な特性を有する材料を選択することができる。ヒンジ手段の例は、ポリオレフィンまたは熱可塑性エラストマー（ＳＥＢＳ、ＴＰＵ）であり、容器は、ＣＯＣ、ＰＢＴまたはＬＣＰからなってもよく、破断可能なシールはＰＳまたはＰＰＳから製造でき、一方、他の全ての部品はＰＰのような安価な標準的ポリマーから成形される。好ましい実施形態は、ＣＯＣ容器を有するＰＰパッケージであり、ここで、ＣＯＣは良好なバリア性を提供する。この実施形態では、パッケージはツーショット射出成形で成形することができる。
【００５４】
容器および／または区画は、好ましくは丸い（円形または楕円形）が、また、適宜、角形（正方形、長方形、または三角形）である。正しく、且つ、一緒に混合される複数の成分と一緒に使用される場合、容器が均質な混合を可能にするように、容器は目的に合わせて構成された容積を有する。容器は、可撓性の側壁、または、複数の区画を提供する可撓性の分離壁を備えてもよい。幾つかの実施形態によれば、容器の容積は可変であってもよい。可撓性の壁構成、または、必要に応じて容積を可変調整するために容器の内側に挿入される追加の可動プランジャ構成によって、容器の容積を可変にしてもよい。
【００５５】
好ましくは、レバーを有するベースおよび蓋は、安定に立つように、支持体表面上の突起が類似の形状、または、好ましくは、少なくとも類似のレバー寸法を備え、それによって、パッケージアセンブリが表面に立っているとき、開けるためにレバーに力を加えると傾くことが防止される。別の実施形態によれば、ベースは、使用者がパッケージアセンブリをリングのように１本以上の指に装着できるように、リング部材を更に備えてもよい。
【００５６】
好ましい歯科物質は、歯科用プライマー、ボンディング剤、エッチングゲル／液、充填材料（コンポジット、樹脂強化グラスアイオノマーセメント、臨時充填材料）、バーニッシュである。パッケージアセンブリは、勿論、歯科用以外の材料、例えば、グルー（例えば、シアノアクリレート）、薬剤（液体、ゲル、ペースト）、バーニッシュ（例えば、マニキュア、タッチアップペイント）、化粧品（リップグロス）、齲食を治療または予防または識別するための物質、歯垢を予防または識別または除去するための物質、歯根管治療用物質、齲食のまたは虫歯になったまたは感染した象牙質またはエナメル質を除去するための物質、および／または、変性した象牙質を除去するための物質を含んでもよい。
【００５７】
本発明の主題は、好ましくは、以下の部材、即ち、エキスカベータなどの歯科器具、特に、使い捨て歯科器具；ブラシ、特に、サイズおよび硬さの異なるもの；システムを再充填可能なシステムとして使用できるように使い捨てのカートリッジ；手袋の少なくとも１つ、および／または、前述の材料の少なくともいずれか１つを更に備えるキットで提供されてもよい。
【００５８】
本発明は、また、前記実施形態のいずれかによるパッケージアセンブリを提供する工程、２つのレバーを一緒に押圧することにより、最初閉じているパッケージアセンブリを開ける工程、および、物質を容器から取り出す工程を含む、歯科物質を提供する方法に関する。蓋が破断可能なシールで容器に封止されている場合、本方法は、開ける前に、シールを破断するため蓋を容器手段の方向に押圧する工程を含む。容器は、また、蓋を容器手段上に押圧することによって、パッケージアセンブリを使用する間、閉じられてもよい。
【００５９】
特許請求の範囲に添付され、本発明の好ましい実施形態を例示する図面を参照して、本発明を更に説明するが、幾つかの図において同様の参照番号は同様の部分を指す。
【発明を実施するための最良の形態】
【００６０】
本発明の第１の態様によるパッケージアセンブリ４２を図１〜図６に示す。容器２を有するパッケージは、物質用の容器２を有するベース１および容器２を閉じるための蓋３を備える、ワンショット部品または成形プラスチック部品として製造することができる。ヒンジ４は蓋３とベース１を接続し、ここで、ヒンジ４は別々であっても、または、蓋３およびベース１と一体成形されていてもよい（「一体ヒンジ」）。この実施形態では、蓋３、容器２、ベース１、およびヒンジ４は、一体成形されている。
【００６１】
好ましくは、パッケージアセンブリは、成形後、第１の開放開口部２１がベース１に隣接する容器２を備え、蓋に隣接する容器の第２の開口部２２は閉じており、蓋３と結合している。蓋３と、容器２の第２の開口部２２との間の境界面は、図３に示されるように破断可能なシール５を提供する。物質を容器２に充填した後、図２に示されるように、第２の開放開口部２１をベースの箔またはフィルム６で密封する。箔シール６の代わりに、開口部に圧力嵌めで取り付けられる、および／または、差し込まれるまたは嵌合されるプラグを使用し、任意に、例えば、サーモシールまたは高周波シールなどにより、ヒートシールすることができる。
【００６２】
好ましくは、２つのレバー３２および１２は、ヒンジ手段の側に設けられ、本質的にヒンジ４から離れる方向に延びる。第１のレバー１２は、傾斜防止（ｔｉｌｔ  ｒｅｓｉｓｔａｎｃｅ）ベースを提供するような、表面上の突起を提供する。この実施形態は、パッケージアセンブリを開ける力をレバー３２に図５の矢印ｂ）の方向に加えるとき、傾斜防止がまだ保証されているため、有利である。好ましくは、第１のレバー１２は、下にある表面と共に平面支持を提供するため、その下側が本質的に平坦である。第２のレバー３２は、好ましくは、ベース１から離れる方向に上向きに屈曲している。これは、パッケージアセンブリを容易に開けるために有利であり、更に、レバー３２の屈曲部分は、図５に見られるように、パッケージアセンブリが開いている状態でベース１２と本質的に平面接触する表面を提供する。後述のように、２つのレバー間の平面接触により、固定機構の適用が容易になる。好ましくは、蓋３のレバー３２は、パッケージアセンブリを容易に片手で開けるために適切な、てこの作用を提供するように設計されている。パッケージアセンブリを作業面（例えば、歯科用トレー）上で、ある程度安定な位置に維持するため、ベース１のレバー１２は、好ましくは、開ける時に蓋レバー３２によって加えられる下向きの力に対して十分な反力を提供するように設計される。また、ベースのレバーは、好ましくは、使用中、パッケージアセンブリが傾かないように、または作業面で動き回らないように、作業面上で開いているパッケージアセンブリを支持する。
【００６３】
本発明の別の実施形態によれば、容器２を有するベース１は一体に封止されていてもよく、蓋３は別々に製造されていてもよい。蓋は、ピボットのように、ヒンジによりベースに接続されていてもよい。蓋３は、第２の端部２２にある第２の開口部を閉じることができる。蓋３は、好ましくは、不正開封防止を表示できる第２の開口部２２における気密シール、および、容器２と蓋３の間の境界面を提供し、このようなシールは、図３に示されるような破断可能なシール５を提供することによって達成できる。蓋３を図４に示される矢印ａ１）で表示される方向に押すと、破断可能なシール５を破裂させることができる。容器を開けるため、レバー３２を図５に矢印ｂ）で示されるように、ベース１の方向に押すことができる。
【００６４】
パッケージアセンブリの開閉は、片手または指一本で行うことができる。容器を開けた後、図１４に示されるように、器具を用いて、好ましくはブラシまたはアプリケータ５０を用いて物質を取り出すことができる。アセンブリは、容器の容積によって予め決定される量の物質を分配および塗布するための、計量供給装置として機能することができる。容器は、また、計量カップのように、物質の量を計量するための印を備えてもよい。
【００６５】
図３に示される破断可能なシール５は、好ましくは、気密シールの他に、パッケージアセンブリが損傷されておらず新しく未使用であることを表示する、不正開封が分かる防止手段（ｔａｍｐｅｒ−ｅｖｉｄｅｎｔ  ｒｅｓｉｓｔａｎｃｅ）も提供する。これは、好ましくは、図２２ａ〜図２２ｃ、並びに、図２３ａおよび図２３ｂに示されるように、容器に封止される箔１０を使用することによって達成できる。箔１０は、図２３ａおよび図２３ｂに示されるように、それぞれスパイク１００または切刃によって穿孔または穴開けされる。図２２ａ〜図２２ｃに示されるように、別の実施形態では、パッケージが開けられるときに（図２２ｃ）、箔１０が容器２から除去され、パッケージの輸送中は蓋が閉じたままであることを確実にするため、箔１０が蓋３に取り付けられている。あるいは、箔１０は、パッケージの始動中に容易に破裂し易くする破断線を有することができる。
【００６６】
本発明によるパッケージアセンブリで、特に、空気または光に敏感な物質を安全に貯蔵することが可能である。
【００６７】
蓋が（図５に示されるように）開いた位置に留まることを可能にするため、固定システムまたは機構７をベースまたは蓋に一体化させることができ、好ましくは、レバー３２の端部およびベース１２に配置する。レバー３２とレバー１２の間を固定するため、レバー３２を図５の矢印ｂ）で示される方向に押してもよい。ベース１に凹部１５を、蓋３に突起３５を提供することにより、スナップ嵌めまたは圧力嵌めを用いる固定機構を設けることができる。突起３５は、縁１６の後ろで凹部１５と係合する。パッケージアセンブリを再び閉じることができるように、固定機構７は、好ましくは解除可能である。レバー３２をレバー１２から取り外すため、レバー３２を、例えば、上向きに回転させて持ち上げる。あるいは、凹部１５の代わりにフォーク状のウェブを使用することができる。また、スナッパー３５および凹部またはフォーク状のウェブの位置を逆にすることもできる。換言すれば、クリップ３５をベース１に設けることができ、凹部１５またはフォーク状のウェブを蓋３に設けることができる。固定機構７のための別の選択肢は、再剥離性（ｒｅｐｏｓｉｔｉｏｎａｂｌｅ）接着剤、メカニカルファスナ、および、他の摩擦保持器または保持手段の使用を包含する。
【００６８】
パッケージアセンブリを再び閉じるため、蓋３を図５に矢印ｃ）で示される方向に押して容器２上に戻すことができる。始動中（図４に矢印ａ１で表示されている）に引き起こされる破断可能なシール５における材料の歪により、蓋３が容器２上に押されるとき蓋３と容器の端部２２との間に摩擦嵌合を提供する、可撓性の固定用付属物１９が作り出される。
【００６９】
パッケージアセンブリ１を作業面に固定した状態に維持するため、ベース１の下側１１は、粘着性であってもよい、例えば、グルーまたは感圧接着剤でコーティングされてもよい。ベース１の一部または全部に軟質のエラストマー材料を使用することも可能である。このようなベースはツーショット射出成形プロセスで製造することができる。別の選択肢は、ベースの下側１１に吸盤、アセンブリと作業面の間の摩擦を増大させるマイクロ複製された表面、磁石表面、またはメカニカルファスナなどを設けることである。特定の実施形態では、箔シール６は接着面を有することができ、これは、その部分の射出成形を容易にする。
【００７０】
図７は、本発明による歯科用パッケージアセンブリの好ましいサイズを示す鮮明な（ｐｈｏｔｏｇｒａｐｈｉｃａｌ）側面図である。閉じているパッケージアセンブリを開けるのに好ましい方法が少なくとも２つある。第１の方法によれば、使用者は、図７に示されるように、２本の指の間にパッケージアセンブリを保持して２本の指で２つのレバー３２および１２を一緒に押すと、その結果、容器２から蓋３が開く。開いているパッケージアセンブリを、その後、ベース１を表面に付けて置いてもよい。好ましい実施形態の１つでは、ベース１は、使用者がパッケージアセンブリをリングのように１本以上の指に装着できるように、リング部材を更に備えてもよい。閉じているパッケージアセンブリを開ける別の方法は、ベース１を支持面に付けてパッケージアセンブリを置く工程、および、片手で、好ましくは指一本でレバー３２上を押圧し、その結果、蓋３が回動して容器２が開く工程を含む。
【００７１】
図８は、後ろから取り付けられるアプリケータ５０を備える歯科用パッケージアセンブリの鮮明な上面図である。図９は、蓋が開いた位置にありアプリケータ５０が使用中である、歯科用パッケージアセンブリの鮮明な上面図である。ブラシで歯科処置を行う場合、パッケージは、鮮明な図８および図９、または図１３、図１５、および図１９に示されるように、マイクロブラシのような１本以上の標準的な使い捨てブラシ、または他の歯科用塗布用具５０を備えてもよい。アプリケータ５０を、スナップロックまたはクランプ５１のような、何らかの機構でパッケージに固定してもよい。アプリケータ５０は、図１３に示されるようにパッケージアセンブリに対して横方向に、図８、図１９および図２０におけるように後ろから、または、図１５および図１６に示されるように前から配置されてもよい。アプリケータ５０が前から、または後ろから配置される場合、クランプ５１は図１８〜図２０に示されるようにヒンジ４に隣接して、または、図１５〜図１７に示されるように、ヒンジ４と一体の突出部として配置されてもよい。ヒンジは、アプリケータを挿入するための切り抜き５２を提供してもよく、これは更なる安定性を提供する。
【００７２】
本発明の別の態様によれば、パッケージアセンブリは、２成分または多成分の物質を貯蔵するように設計されている。図１０、図１１、および、図１５〜図２０に、成分ＡおよびＢを有する２つの容器２０１および２０２の様々な配置を示す。図１０ａ〜図１０ｃの設計では、２つの容器２０１および２０２がベース１上に互いに隣接して配置されている。図１０ｄに示される別の実施形態では、容器２０１および２０２は、共通壁２０３を共有することができ、図１０ｅの第３の実施形態では、容器２０１および２０２は、同心状に配置されている。２種類の物質を独立に開閉するため、各容器は別々の蓋を有することができる。好ましくは、片手で容易に取り扱えるように、パッケージアセンブリは、図１５〜図２０に示されるように、容器２０１および２０２を両方とも覆う単一の蓋３を備える。蓋は、複数の容器を覆うように、様々な形状に形成することができる。例えば、図１１および図１５〜図２０に示されるもののように、Ｔ形の蓋を使用することができる。容器２０１および２０２上の蓋の部分を逐次的に押圧すると、２つの容器を逐次的に始動させることができる。
【００７３】
ベースは、容器の内側に、または、他に容器に隣接するところに、物質を中間的に保持するのに使用できる領域またはウェルを更に備えてもよく、その中にブラシまたは用具を浸漬することができる。ミキシングウェルが容器の一部である場合、ウェルは蓋で再び閉じることができ、これは、例えば、光からの保護のために望ましい。
【００７４】
図１２は、本発明の別の実施形態を示し、ここでは、ベースに複数の容器を配置するのではなく、物質の第１の成分２３を単一の容器２の内側に貯蔵してもよい。容器は、好ましくは、混合されるまたは混合された物質の総量を受け入れるのに好適な容積を有する。蓋３の上に配置される箔小袋８内に、第２の成分２４を貯蔵することができる。蓋３は、小袋８のベース箔８１によって密封される穴９を備える。好ましくは、封止されている小袋８は、ベース箔８１で穴９の上の蓋３に取り付けられている。小袋８の封止は、ベース箔８１をまず蓋３（全面またはリング）上に封止することによって行われる。その後、小袋８の深絞り部分が上開口部を提供し、その深絞り部分に成分を充填する。その後（ｈｅｒｏｎ）、アセンブリ全体を小袋８の深絞り部分の上開口部上に逆さまに配置することによって、既に蓋３に取り付けられているベース箔８１と小袋を封止する。密封するための代替の解決法は、ベース箔８１を備える小袋８を予め製造し、それを蓋３の容器２とは反対側の穴９上に封止させることによって行うことができる。ベース箔は、小袋の深絞り部分より大きく、深絞り部分の形状を越えて延びてもよい。この場合、深絞り部分とベース箔は、内側リングに沿って封止されており（２つの箔が互いに封止されている）、小袋は、ベース箔の延長部分だけで外側リングに沿って蓋に封止されている（ベース箔だけが蓋に封止されている）。これは、小袋を蓋に封止するには２つではなく１つの箔だけを封止すればよい、という利点を提供する。穴９の位置でベース箔８１を予め決定されたように破裂させるため、小袋に、予め決定された破断点を設けてもよい。別の実施形態によれば、小さいスパイク２０がある。スパイク２０は、好ましくは、図２１ａ〜図２１ｃに示されるように、小袋８と蓋の間に、即ち、穴９の中に配置されている。あるいは、始動させるため、図２１の矢印で示される方向に小袋８上を押す時、ベース箔８１が穴９の上の部分で正確に破裂し易いように、小袋８内に、小袋８の深絞り部分の中にスパイク２０を配置してもよい。スパイクの代わりに切刃を、例えば穴の縁部に沿って使用してもよく、または、穴の縁部にもしくはそれに隣接するところに部分的に配置してもよい。
【００７５】
小袋８上を押圧することによってパッケージアセンブリを始動させると、小袋のベース箔８１は穴９のところで破裂し、物質の成分２４が容器２に流入し、任意に、容器２内に貯蔵されている成分に接触する。好ましくは、本発明のこの実施形態も、破断可能なシール５を備え、それは、始動中同時にまたは逐次的に破断し、このようにしてパッケージアセンブリを開ける。
【００７６】
破断可能なシールをベース表面に直接配置することができる。成分をパッド上におけるように混合するため、ベースの表面１３を使用することができる。任意に、混合し易くするためベース１をずっと大きいサイズで製造することができるか、または、それを（例えば、紙またはプラスチックフィルムの）ミキシングパッドで延ばすことができる。この設計をとりわけ粉末／液体物質に使用することができ、ここで、粉末は、好ましくは容器に貯蔵され、液体は小袋８に貯蔵される。
【００７７】
図１３は、追加のアプリケータ５０がクランプ５１でベース１に横方向に取り付けられている、本発明の第１の実施形態によるパッケージアセンブリを示す。図１４は、アプリケータが容器２の物質を分配するために使用されている、図１３によるパッケージアセンブリを示す。
【００７８】
図１５〜図２０は、２つの容器２を備える、別の好ましい実施形態によるパッケージを示す。図１５〜図１７は、２つの容器と１本のアプリケータを有する本発明のパッケージアセンブリを使用する作業工程を示す。図１５は、ベース１および蓋３を有する２つの容器２０１および２０２を有するプレフィルドパッケージアセンブリ４２を示す。ベース１および蓋３は、一体ヒンジ４で接続されており、これはクランプ５１でベース１に固定されるアプリケータ５０の端部を挿入するための切り抜き５２を備える。２つの容器２０１および２０２は、図１６の矢印ｂ）で示される方向にレバー３２上を押すことによって、同時に開けられる。アプリケータ５０を用いて容器２０１の成分を混合、攪拌、または分配する作業工程が図１７に示されている。
【００７９】
図１８〜図２０は、図１５に類似しているが、２本のアプリケータ５０がクランプ５１でベース１の側方に後ろから取り付けられているパッケージアセンブリを示す。アプリケータ５０が側方に配置されているため、一体ヒンジ４０は前述の実施形態におけるような切抜きを備えない。パッケージアセンブリを開けるため、図１８の矢印ｂ）で示される方向に蓋３を押すことができ、ここで、アプリケータ５０は、パッケージアセンブリの後方向に延びるため、追加の安定性（ｓｔｅａｄｉｎｅｓｓ）を提供する。
【００８０】
ブラシに吸収させるため、またはブラシで成分を混合するため、別の領域または窩洞がベースに、例えば、図１８の区画２０１と２０２の間に、または、蓋で再び閉じることができる容器の一部として配置されてもよい。
【００８１】
成形品に好ましい材料は、例えば、ポリプロピレン（ＰＰ）および／またはシクロオレフィン共重合体（ＣＯＣ）とすることができる。パッケージの透明な外観のため、青色光を濾光し、特定の波長から物質または区画を保護するためにオレンジ色の着色剤を使用することができる。
【００８２】
また、添付の図面に単独でまたは他の特徴と任意の組み合わせで示されており、説明中には明確に述べられていない特徴も、単独で、または、本明細書に記載または図示されている他の任意の特徴と組み合わせて本発明に属する。
【００８３】
更に、本発明は、特許請求の範囲の特徴およびその明らかな変更によって実現される。前述の、または特許請求の範囲に記載される本発明の範囲または趣旨の限定を決して意図するものではない。
【図面の簡単な説明】
【００８４】
【図１】本発明の第１の態様による歯科用包装アセンブリの斜視図である。
【図２】図１による回転された別の斜視図である。
【図３】図１に示される容器の拡大部分断面図である。
【図４】始動工程中の蓋の位置を示すこと以外、図１に幾分類似している図である。
【図５】蓋が開いた位置にある第１の態様による歯科用包装アセンブリの斜視図である。
【図６】固定手段の拡大断面図である。
【図７】本発明の第１の態様による歯科用パッケージアセンブリの鮮明な側面図である。
【図８】歯科用ブラシを備える歯科用パッケージアセンブリの鮮明な上面図である。
【図９】蓋が開いた位置にある歯科用パッケージアセンブリおよび歯科用ブラシの鮮明な上面図である。
【図１０】２つの容器を備える歯科用パッケージアセンブリの上面図である。
【図１１】追加のＴ形の蓋を示すこと以外、図１０に幾分類似している図である。
【図１２】本発明の第２の態様による歯科用包装アセンブリの斜視図である。
【図１３】図１に幾分類似しているが、パッケージアセンブリに追加のアプリケータが取り付けられているパッケージアセンブリを示す図である。
【図１４】アプリケータが使用中である、図１３によるパッケージアセンブリを示す図である。
【図１５】パッケージアセンブリに追加のアプリケータが取り付けられている、図１１に幾分類似しているパッケージアセンブリの斜視図である。
【図１６】蓋が開いている、図１５によるパッケージアセンブリを示す図である。
【図１７−１８】アプリケータが使用中である、図１５および図１６によるパッケージアセンブリを示す図である。
【図１８】パッケージアセンブリに追加の２本のアプリケータが取り付けられている、図１１に幾分類似しているパッケージアセンブリの斜視図である。
【図１９】アプリケータの１つが使用中である、図１９によるパッケージアセンブリを示す図である。
【図２０】第２のアプリケータが使用中である、図１８および図１９によるパッケージアセンブリを示す図である。
【図２１ａ】小袋のベース箔を的確に破裂し易くする構成を示す図である。
【図２１ｂ】小袋のベース箔を的確に破裂し易くする構成を示す図である。
【図２１ｃ】小袋のベース箔を的確に破裂し易くする構成を示す図である。
【図２２ａ】箔で密封されている容器を有するパッケージアセンブリを示す図である。
【図２２ｂ】箔で密封されている容器を有するパッケージアセンブリを示す図である。
【図２２ｃ】箔で密封されている容器を有するパッケージアセンブリを示す図である。
【図２３ａ】箔で密封されている容器を有する別の実施形態によるパッケージアセンブリを示す図である。
【図２３ｂ】箔で密封されている容器を有する別の実施形態によるパッケージアセンブリを示す図である。
【図１】
2007529368.tif 000003
【図２】
2007529368.tif 000004
【図３】
2007529368.tif 000005
【図４】
2007529368.tif 000006
【図５】
2007529368.tif 000007
【図６】
2007529368.tif 000008
【図７】
2007529368.tif 000009
【図８】
2007529368.tif 000010
【図９】
2007529368.tif 000011
【図１０】
2007529368.tif 000012
【図１１】
2007529368.tif 000013
【図１２】
2007529368.tif 000014
【図１３】
2007529368.tif 000015
【図１４】
2007529368.tif 000016
【図１５】
2007529368.tif 000017
【図１６】
2007529368.tif 000018
【図１７】
2007529368.tif 000019
【図１８】
2007529368.tif 000020
【図１９】
2007529368.tif 000021
【図２０】
2007529368.tif 000022
【図２１ａ】
2007529368.tif 000023
【図２１ｂ】
2007529368.tif 000024
【図２１ｃ】
2007529368.tif 000025
【図２２ａ】
2007529368.tif 000026
【図２２ｂ】
2007529368.tif 000027
【図２２ｃ】
2007529368.tif 000028
【図２３ａ】
2007529368.tif 000029
【図２３ｂ】
2007529368.tif 000030
【国際調査報告】
2007529368.tif 000031
2007529368.tif 000032